(57)【特許請求の範囲】
【請求項１】
ＩＳＤＮ公衆回線を介して、センタ装置と端末装置との間で通信を行うＩＳＤＮ通信システムにおいて、
前記センタ装置は、非通常時には、通常と異なる発信者電話番号で送信し、
前記端末装置は、前記センタ装置から受け取った発信者電話番号が予め記憶している発信者電話番号と異なる場合、非通常時と認識し、呼切断メッセージを送信して回線を切断し、かつ、呼設定メッセージの発信者サブアドレスに電文を挿入して送出することを特徴とするＩＳＤＮ通信システム。
【請求項２】
ＩＳＤＮ公衆回線を介して、センタ装置と端末装置との間で通信を行うＩＳＤＮ通信システムにおいて、
前記センタ装置は、非通常時には、通常と異なる着信者電話番号で送信し、
前記端末装置は、前記センタ装置から受け取った着信者電話番号が予め記憶している着信者電話番号と異なる場合、非通常時と認識し、呼切断メッセージを送信して回線を切断し、かつ、呼設定メッセージの発信者サブアドレスに電文を挿入して送出することを特徴とするＩＳＤＮ通信システム。
【請求項３】
ＩＳＤＮ公衆回線を介して、センタ装置と通信を行う端末装置であって、
前記センタ装置から受け取った発信者電話番号が予め記憶している発信者電話番号と異なる場合、非通常時と認識し、呼切断メッセージを送信して回線を切断する手段と、
非通常時と認識されると、呼設定メッセージの発信者サブアドレスに電文を挿入して送出する手段と、
を具備することを特徴とする端末装置。
【請求項４】
ＩＳＤＮ公衆回線を介して、センタ装置と通信を行う端末装置であって、
前記センタ装置から受け取った着信者電話番号が予め記憶している着信者電話番号と異なる場合、非通常時と認識し、呼切断メッセージを送信して回線を切断する手段と、
非通常時と認識されると、呼設定メッセージの発信者サブアドレスに電文を挿入して送出する手段と、
を具備することを特徴とする端末装置。
【発明の詳細な説明】
【０００１】
【発明の属する技術分野】
本発明は、ガス、水道、電気などの自動検針システム等に用いられるＩＳＤＮ通信システム、及び端末装置に関するものである。
【０００２】
【従来の技術】
咋今、ＩＳＤＮ回線を用いたガスの自動検針において、需要家が行なう通信と交錯せず、しかもコストの安いＩＳＤＮ通信システムを行なうために、ユーザ・ユーザ情報通知サービスを用いて通信を行なうことがある。図５は、このようなユーザ・ユーザ情報通知サービスを用いた通信システムの通信シーケンスを示す図である。ユーザ・ユーザ情報通知サービスを用いた通信システムでは、センタ１０３から回線ＩＦ（インタフェース）１０５に検針要求電文が送信される（ステップ５０１）。回線ＩＦ１０５は、ＳＥＴＵＰメッセージ２１（図２）のＵＵＩ（ユーザ・ユーザ情報）３５に起動要求を設定し、この電文がＩＳＤＮ公衆回線１０７を介して、Ｉ−ＮＣＵ１１１に送信される（ステップ５０２）。Ｉ−ＮＣＵ１１１は、ガスメータ１１３に起動電文を送信する（ステップ５０３）。
【０００３】
ガスメータ１１３は、起動電文が送信された場合には、検針値を応答電文として、Ｉ−ＮＣＵ１１１に送信する（ステップ５０４）。Ｉ−ＮＣＵ１１１は、ＤＩＳＣメッセージ４１（図３）のＵＵＩ（ユーザ・ユーザ情報）５５に応答電文（検針値）を設定してから、ＤＩＳＣメッセージ４１をＩＳＤＮ公衆回線１０７を介して回線ＩＦ１０５に送る（ステップ５０５）。回線ＩＦ１０５は、応答電文（検針値）をセンタ１０３に送信する（ステップ５０６）。このようにして、センタ３は検針値を受けとることができる。
【０００４】
センタ１０３が、更にアラーム情報を要求する場合には、ＳＥＴＵＰメッセージ２１のＵＵＩ（ユーザ・ユーザ情報）３５にデータ要求を設定し、検針値の場合と同様なシーケンスで通信を行なえばよい（ステップ５０７からステップ５１２）。センタ１０３が、設定電文を要求する場合にも、ＳＥＴＵＰメッセージ２１のＵＵＩ（ユーザ・ユーザ情報）３５にデータ要求を設定し、検針値の場合と同様なシーケンスで通信を行なえばよい（ステップ５１３からステップ５１８）
。
【０００５】
データの送信が終了したら、センタ１０３は回線ＩＦ１０５に終了要求電文を送信する（ステップ５１９）。回線ＩＦ１０５からＩＳＤＮ公衆回線１０７を介してＩ−ＮＣＵ１１１に、ＳＥＴＵＰメッセージ２１のＵＵＩ（ユーザ・ユーザ情報）３５に終了要求が設定された電文が送信される（ステップ５２０）。Ｉ−ＮＣＵ１１１は、ガスメータ１１３に終了電文を送信する（ステップ５２１）。ガスメータ１３は、無応答である。尚、センタ１０３が検針値のみを受けとればよい場合には、ステップ５０６のあとにステップ４１９以降の処理を行なうようにする。
【０００６】
【発明が解決しようとする課題】
しかしながら、このようにユーザ・ユーザ情報通知サービスを利用したＩＳＤＮ通信システムで通信を行なうと、需要家から発したメッセージ（ＤＩＳＣに付加されているメッセージ）については、一律需要家に課金される。このため、地震時等の非通常時の通信の際も、自動的に需要家に課金されることになり、保守サービスという面からみれば問題である。
【０００７】
本発明は、このような問題に鑑みてなされたもので、その目的とするところは、非通常時の通信の際は、需要家に課金されないＩＳＤＮ通信システム、及び端末装置を提供することにある。
【０００８】
【課題を解決するための手段】
前述した目的を達成するために、第１の発明は、ＩＳＤＮ公衆回線を介して、センタ装置と端末装置との間で通信を行うＩＳＤＮ通信システムにおいて、前記センタ装置は、非通常時には、通常と異なる発信者電話番号で送信し、前記端末装置は、前記センタ装置から受け取った発信者電話番号が予め記憶している発信者電話番号と異なる場合、非通常時と認識し、呼切断メッセージを送信して回線を切断し、かつ、呼設定メッセージの発信者サブアドレスに電文を挿入して送出することを特徴とするＩＳＤＮ通信システムである。
【０００９】
第１の発明では、センタとメータとの間がＩＳＤＮ公衆回線で接続されたＩＳＤＮ通信システムにおいて、センタ装置は、非通常時には、通常と異なる発信者電話番号で送信し、端末装置は、センタ装置から受け取った発信者電話番号が予め記憶している発信者電話番号と異なる場合、非通常時と認識し、呼切断メッセージを送信して回線を切断し、かつ、呼設定メッセージの発信者サブアドレスに電文を挿入して送出する。
【００１０】
また、第２の発明は、ＩＳＤＮ公衆回線を介して、センタ装置と端末装置との間で通信を行うＩＳＤＮ通信システムにおいて、前記センタ装置は、非通常時には、通常と異なる着信者電話番号で送信し、前記端末装置は、前記センタ装置から受け取った着信者電話番号が予め記憶している着信者電話番号と異なる場合、非通常時と認識し、呼切断メッセージを送信して回線を切断し、かつ、呼設定メッセージの発信者サブアドレスに電文を挿入して送出することを特徴とするＩＳＤＮ通信システムである。
【００１１】
第２の発明では、センタとメータとの間がＩＳＤＮ公衆回線で接続されたＩＳＤＮ通信システムにおいて、センタ装置は、非通常時には、通常と異なる着信者電話番号で送信し、端末装置は、センタ装置から受け取った着信者電話番号が予め記憶している着信者電話番号と異なる場合、非通常時と認識し、呼切断メッセージを送信して回線を切断し、かつ、呼設定メッセージの発信者サブアドレスに電文を挿入して送出する。
【００１２】
また、第３の発明は、ＩＳＤＮ公衆回線を介して、センタ装置と通信を行う端末装置であって、前記センタ装置から受け取った発信者電話番号が予め記憶している発信者電話番号と異なる場合、非通常時と認識し、呼切断メッセージを送信して回線を切断する手段と、非通常時と認識されると、呼設定メッセージの発信者サブアドレスに電文を挿入して送出する手段と、
を具備することを特徴とする端末装置である。
【００１３】
第３の発明では、端末装置は、センタ装置から受け取った発信者電話番号が予め記憶している発信者電話番号と異なる場合、非通常時と認識し、呼切断メッセージを送信して回線を切断し、非通常時と認識されると、呼設定メッセージの発信者サブアドレスに電文を挿入して送出する。
【００１４】
また、第４の発明は、ＩＳＤＮ公衆回線を介して、センタ装置と通信を行う端末装置であって、前記センタ装置から受け取った着信者電話番号が予め記憶している着信者電話番号と異なる場合、非通常時と認識し、呼切断メッセージを送信して回線を切断する手段と、非通常時と認識されると、呼設定メッセージの発信者サブアドレスに電文を挿入して送出する手段と、を具備することを特徴とする端末装置である。
【００１５】
第４の発明では、端末装置は、センタ装置から受け取った着信者電話番号が予め記憶している着信者電話番号と異なる場合、非通常時と認識し、呼切断メッセージを送信して回線を切断し、非通常時と認識されると、呼設定メッセージの発信者サブアドレスに電文を挿入して送出する。
【００２６】
【発明の実施の形態】
以下、図面に基づいて本発明の実施の形態を詳細に説明する。図１は、本発明の１実施の形態に係るＩＳＤＮ通信システム（以下通信システムと称す）１の概略構成図であり、通信システム１は、センタ３、回線ＩＦ５、ＩＳＤＮ公衆回線７、Ｉ−ＮＣＵ１１、ガスメータ１３等を有する。９は需要家を示す。回線ＩＦ５とＩ−ＮＣＵ１１との間はＩＳＤＮ公衆回線７で接続される。ＩＳＤＮ公衆回線７は、２つのＢチャネルと１つのＤチャネルを持つ回線である。回線ＩＦ５およびＩ−ＮＣＵ１１は、デジタル回線における通信制御を行なう。Ｉ−ＮＣＵ１１は、予めセンタ３の発信者サブアドレスを記憶している。ガスメータ１３は、ガスのメータである。尚、ガスメータだけでなく、電気、水道等のメータに対しても本発明を応用することができる。
【００２７】
図２は、回線ＩＦ５とＩ−ＮＣＵ１１間で通信されるＳＥＴＵＰメッセージ２１のフォーマット図である。ヘッダ２３には、ヘッダ情報が設定される。ＳＥＴＵＰ２５には、ＳＥＴＵＰ（呼設定）が設定される。発信者電話番号２７には、発信者電話番号が設定され、発信者サブアドレス２９には、発信者サブアドレスが設定され、着信者電話番号３１には、着信者電話番号が設定され、着信者サブアドレス３３には、着信者サブアドレスが設定される。
【００２８】
図３は、回線ＩＦ５とＩ−ＮＣＵ１１間で通信されるＤＩＳＣメッセージ４１のフォーマット図である。ヘッダ４３には、ヘッダ情報が設定される。ＤＩＳＣ４５には、ＤＩＳＣ（切断）が設定される。
【００２９】
本実施の形態では、非通常時に、センタ３が、回線ＩＦ５に検針要求電文等を送信すると、回線ＩＦ５は、発信者サブアドレスに非通常時の発信者サブアドレスを設定し、ＳＥＴＵＰメッセージ、またはＤＩＳＣメッセージのＵＵＩ（ユーザ・ユーザ情報）に起動電文等を設定して、Ｉ−ＮＣＵ１１に送信する。Ｉ−ＮＣＵ１１は、ＳＥＴＵＰメッセージの発信者サブアドレスが、予め記憶されている発信者サブアドレスと異なる場合に、非通常時であることを認識し、ＤＩＳＣメッセージを回線ＩＦ５に送信し、さらにＵＵＩに設定された情報（起動電文等）をガスメータ１３に送る。ガスメータ１３は、検針要求電文等を受けとると、ガスの検針値等を応答電文として、Ｉ−ＮＣＵ１１に送信する。Ｉ−ＮＣＵ１１は、非通常時を認識した場合には、ＳＥＴＵＰメッセージの発信者サブアドレスに応答電文等を挿入して、回線ＩＦ５に送る。回線ＩＦ５は、応答電文をセンタ３に送信する。
【００３０】
本実施の形態の、非通常時の特別な通信シーケンスを図４を参照してさらに詳しく説明する。まずセンタ３から回線ＩＦ５に検針要求電文が送信される（ステップ４０１）。回線ＩＦ５は非通常時であるので、ＳＥＴＵＰメッセージ２１の発信者サブアドレス２９に、予めＩ−ＮＣＵ１１に記憶されている発信者サブアドレスとは異なる発信者サブアドレスを設定し、ＵＵＩ（ユーザ・ユーザ情報）３５に起動要求を設定し、ＳＥＴＵＰメッセージ２１をＩＳＤＮ公衆回線７を介して、Ｉ−ＮＣＵ１１に送信する（ステップ４０２）。Ｉ−ＮＣＵ１１は、ガスメータ１３に起動電文を送信する（ステップ４０３）。さらに、Ｉ−ＮＣＵ１１は、予め記憶している発信者サブアドレスと異なる発信者サブアドレスを受信したので非通常時であることを認識し、ＤＩＳＣメッセージ４１をＩＳＤＮ公衆回線７を介して回線ＩＦ５に送り、回線を切断する（ステップ４０４）。
【００３１】
ガスメータ１３は、起動電文が送信された場合には、検針値を応答電文として、Ｉ−ＮＣＵ１１に送信する（ステップ４０５）。Ｉ−ＮＣＵ１１は、ＳＥＴＵＰメッセージ２１の発信者サブアドレス２９に応答電文（検針値）を設定してから、ＳＥＴＵＰメッセージ２１をＩＳＤＮ公衆回線７を介して回線ＩＦ５に送る（ステップ４０６）。回線ＩＦ５は、応答電文（検針値）をセンタ３に送信する（ステップ４０７）。このようにして、非通常時に、センタ３は検針値を受けとることができる。
【００３２】
センタ３が、さらにデータ要求を行なう場合には、回線ＩＦ５にデータ要求電文が送信される（ステップ４０８）。回線ＩＦ５は、ＤＩＳＣメッセージ４１のＵＵＩ（ユーザ・ユーザ情報）５５にデータ要求を設定し、ＤＩＳＣメッセージ４１をＩＳＤＮ公衆回線７を介して、Ｉ−ＮＣＵ１１に送信する（ステップ４０９）。Ｉ−ＮＣＵ１１は、ガスメータ１３にデータ要求電文を送信する（ステップ４１０）。
【００３３】
ガスメータ１３は、データ要求電文が送信された場合には、要求されたデータを含む応答電文をＩ−ＮＣＵ１１に送信する（ステップ４１１）。Ｉ−ＮＣＵ１１は、ＳＥＴＵＰメッセージ２１の発信者サブアドレス２９に応答電文を設定して、ＳＥＴＵＰメッセージ２１をＩＳＤＮ公衆回線７を介して回線ＩＦ５に送る（ステップ４１２）。回線ＩＦ５は、応答電文をセンタ３に送信する（ステップ４１３）。
【００３４】
データの送信が終了したら、センタ３は回線ＩＦ５に終了要求電文を送信する（ステップ４１４）。回線ＩＦ５からＩＳＤＮ公衆回線７を介してＩ−ＮＣＵ１１に、ＤＩＳＣメッセージ４１のＵＵＩ（ユーザ・ユーザ情報）５５に終了要求が設定された電文が送信される（ステップ４１５）。Ｉ−ＮＣＵ１１は、ガスメータ１３に終了電文を送信し、通信を終了する（ステップ４１６）。尚、センタ３が検針値のみを受けとればよい場合には、ステップ４０７のあとにステップ４１４以降の処理を行なうようにする。
【００３５】
このように本実施の形態によれば、非通常時には、Ｉ−ＮＣＵ１１から回線ＩＦ５に送信されるＳＥＴＵＰメッセージ２１の発信者サブアドレス２９に応答電文を挿入するようにしたので、需要家に課金されない通信を行なうことができる。なぜなら、発信者サブアドレス２９にメッセージを挿入しても課金されないからである。
【００３６】
尚、本実施の形態では、Ｉ−ＮＣＵ１１が、予め発信者サブアドレスを記憶していて、非通常時には、回線ＩＦ５からＩ−ＮＣＵ１１に送信するＳＥＴＵＰメッセージ２１の発信者サブアドレス２９、Ｉ−ＮＣＵ１１に予め発信者電話番号を記憶させておき、非通常時には、センタ３の回線ＩＦから、異なる発信者電話番号でＩ−ＮＣＵ１１にＳＥＴＵＰメッセージ２１、またはＤＩＳＣメッセージ４１を送信するようにしてもよい。尚この場合は、センタ３側の回線を変えるか、あるいはセンタ３がダイヤルイン契約をして２つの電話番号を持つ必要がある
。
【００３７】
また、Ｉ−ＮＣＵ１１に予め着信者サブアドレスを記憶させておき、非通常時には、回線ＩＦ５からＩ−ＮＣＵ１１に送信するＳＥＴＵＰメッセージ２１の着信者サブアドレス３３に、Ｉ−ＮＣＵ１１に予め記憶されている着信者サブアドレスとは異なる発信者サブアドレスを設定するようにしてもよい。
【００３８】
さらに、一本の回線で複数の電話番号を持つ需要家（ダイヤルイン契約されている需要家）の場合は、Ｉ−ＮＣＵ１１に予め着信者電話番号を記憶させておき、非通常時には、回線ＩＦ５からＩ−ＮＣＵ１１に送信するＳＥＴＵＰメッセージ２１の着信者電話番号３１に、Ｉ−ＮＣＵ１１に予め記憶されている着信者サブアドレスとは異なる発信者サブアドレスを設定するようにしてもよい。
【００３９】
【発明の効果】
以上、詳細に説明したように本発明によれば、非通常時の通信の際は、需要家に課金されないＩＳＤＮ通信システム、センタ装置、および端末装置を提供することができる。
【図面の簡単な説明】
【図１】本発明の実施の形態に係る通信システム１の概略構成図
【図２】ＳＥＴＵＰメッセージ２１のフォーマット図
【図３】ＤＩＳＣメッセージ４１のフォーマット図
【図４】非通常時のＩＳＤＮ通信システムの通信シーケンスを示す図
【図５】従来のＩＳＤＮ通信システムの通信シーケンスを示す図
【符号の説明】
１・・・通信システム
３・・・センタ
５・・・回線ＩＦ
７・・・ＩＳＤＮ公衆回線
９・・・需要家
１１・・・Ｉ−ＮＣＵ
１３・・・ガスメータ
２１・・・ＳＥＴＵＰメッセージ
２３、４３・・・ヘッダ
２５・・・ＳＥＴＵＰ
２７・・・発信者電話番号
２９・・・発信者サブアドレス
３１・・・着信者電話番号
３３・・・着信者サブアドレス
３５、５５・・・ＵＵＩ
４５・・・ＤＩＳＣ
【図１】
0003629112.tif 000002
【図２】
0003629112.tif 000003
【図３】
0003629112.tif 000004
【図４】
0003629112.tif 000005
【図５】
0003629112.tif 000006